(57)【要約】【課題】主に映像や音響、空調等の各種電子機器に使用されるリモコン送信機に関し、いずれの制御状態が択一的に選択されているか認識しやすいリモコン送信機を実現することを目的とする。【解決手段】送信されるリモコン信号が異なる複数の制御状態から一の制御状態を選択することを、操作手段となる回転体２３を回転操作などして行うものであり、択一的に選択される制御状態を回転操作またはスライド操作により選択するため、いずれの制御状態が択一的に選択されているか認識しやすいリモコン送信機を得ることができる。【選択図】図１
2011239114.tif 000002
【特許請求の範囲】
【請求項１】
上側ケースから露出した押圧手段と、前記押圧手段を覆う蓋体と、前記蓋体の上面に露出した操作手段と、前記押圧手段または前記操作手段の操作によって動作する可動接点と、前記可動接点と電気的接離を行う固定接点と、この固定接点に対する可動接点の電気的接離に応じて送信手段からリモコン信号を送信する制御手段とを備え、送信される前記リモコン信号が異なる複数の制御状態から一の制御状態を選択することを、前記操作手段を回転操作またはスライド操作して行うリモコン送信機。
【請求項２】
操作手段の下方に揺動体を備え、前記操作手段の操作に応じて揺動体が揺動し、前記揺動体が押圧手段を押圧する請求項１記載のリモコン送信機。
【発明の詳細な説明】
【技術分野】
【０００１】
本発明は、主に映像や音響、空調等の各種電子機器に使用されるリモコン送信機に関するものである。
【背景技術】
【０００２】
近年、映像や音響、空調等の各種電子機器においては、リモコン送信機を用いて、機器から離れた箇所から、機器の様々な機能の遠隔操作を行うものが増えている。
【０００３】
このような従来のリモコン送信機について、図７〜図９を用いて説明する。
【０００４】
図７は従来のリモコン送信機の側面図、図８は同上面図であり、同図において、１は略箱型で絶縁樹脂製の下側ケースで、下側ケース１内には、発光ダイオード等のリモコン信号を送信する送信手段や、マイコン等の制御手段が配置され、それらが配線パターンで接続された基板（図示せず）が収容されている。
【０００５】
また、２は上面が二段の階段状で形成された絶縁樹脂製の上側ケースで、上段部２Ａおよび下段部２Ｂから構成され、上側ケース２の上段部２Ａの上面からゴム製の複数の押圧部３Ａが突出し、下段部２Ｂの上面からゴム製の複数の押圧部３Ｂおよび前後左右に配置された押圧部３Ｃが突出している。
【０００６】
また、これらの押圧部３Ａ〜３Ｃは押圧体３として一体化して形成されて、基板上面に配置されると共に、押圧部３Ａ〜３Ｃの下面にはカーボンなどで可動接点（図示せず）が配置され、基板上に制御手段と配線パターンで接続されて設けられた固定接点（図示せず）と対向している。
【０００７】
さらに、４は絶縁樹脂製の蓋体で、アーム部４Ａで下側ケース１に接続され、上側ケース２に対し開閉操作可能に係止されると共に、蓋体４の上面から下面に貫通して、上下動可能な樹脂製の複数の操作部５Ａと前後左右に配置された操作部５Ｂが配置されて、リモコン送信機が構成されている。
【０００８】
そして、図９の上面図のように蓋体４を閉じた状態で、このリモコン送信機を電子機器に向け、所定の操作部５Ａあるいは操作部５Ｂを押圧操作すると、操作部５Ａ、５Ｂ下方の押圧部３Ｂ、３Ｃが押圧され、押圧部３Ｂや３Ｃ下方の可動接点が基板上面の固定接点に接触し、制御手段により操作部５Ａや操作部５Ｂを押圧したことが検出される。
【０００９】
そして、制御手段は、送信手段を介して押圧した操作部５Ａ、５Ｂに応じたリモコン信号を送信する。
【００１０】
ここで、前後左右の四方向に設けられた操作部５Ｂは、例えば、エアコンをリモコン操作する場合は、「冷房」、「除湿」、「暖房」、「自動制御」など、出力するリモコン信号が異なる複数の制御状態に対応している。
【００１１】
つまり、操作部５Ｂは複数の制御状態のうち一の制御状態に択一的に選択することを複数の操作部５Ｂのうち一の操作部５Ｂを選択して押圧するものである。
【００１２】
ここで、いずれの操作部５Ｂが最後に押圧されたのか示すために、最後に押圧された操作部５Ｂを押圧された状態で保持し、あるいは操作部５Ｂを透光性のある樹脂で構成し、下方から照光するなどされていた。
【００１３】
なお、この出願の発明に関連する先行技術文献情報としては、例えば、特許文献１が知られている。
【先行技術文献】
【特許文献】
【００１４】
【特許文献１】特開２００７−５３５１７号公報
【発明の概要】
【発明が解決しようとする課題】
【００１５】
しかしながら、上記従来のリモコン送信機においては、操作部５Ｂを押圧された状態で保持するものについては、いずれの操作部５Ｂの高さが低くなっているか判別しづらく、また下方から照光するものにおいても周囲が明るい場所では照光した光が見えづらく、いずれにしてもどの操作部５Ｂが選択されているのか判別しがたいという課題があった。
【００１６】
本発明は、このような従来の課題を解決するものであり、操作手段の操作位置を見ただけで、いずれの制御状態が択一的に選択されているか認識しやすいリモコン送信機を提供することを目的とする。
【課題を解決するための手段】
【００１７】
上記目的を達成するために本発明は、以下の構成を有するものである。
【００１８】
本発明の請求項１に記載の発明は、上側ケースから露出した押圧手段と、押圧手段を覆う蓋体と、蓋体の上面に露出した操作手段と、押圧手段または操作手段の操作によって動作する可動接点と、可動接点と電気的接離を行う固定接点と、この固定接点に対する可動接点の電気的接離に応じて送信手段からリモコン信号を送信する制御手段を備えたリモコン送信機で、送信される前記リモコン信号が異なる複数の制御状態から一の制御状態を選択することを、操作手段を回転操作またはスライド操作して行うものであり、択一的に選択される制御状態を回転操作またはスライド操作により選択するため、いずれの制御状態が択一的に選択されているか認識しやすいリモコン送信機を提供することができるという作用を有する。
【００１９】
請求項２に記載の発明は、請求項１記載の発明において、操作手段の下方に揺動体を備え、操作手段の操作に応じて揺動体が揺動し、揺動体が押圧手段を押圧するものであり、揺動体を用いることにより簡易な構造で回転またはスライド動作を押圧動作に変換することができるという作用を有する。
【発明の効果】
【００２０】
以上のように本発明によれば、操作手段の操作位置を見ただけで、いずれの制御状態が択一的に選択されているか認識しやすいリモコン送信機を提供することができるという有利な効果が得られる。
【図面の簡単な説明】
【００２１】
【図１】本発明の一実施の形態によるリモコン送信機の断面図
【図２】同分解斜視図
【図３】同下面からの要部分解斜視図
【図４】同上面図
【図５】同揺動部の動作を示す断面図
【図６】本発明の他の実施の形態によるリモコン送信機の断面図
【図７】従来のリモコン送信機の側面図
【図８】従来のリモコン送信機の蓋体を開いた状態での上面図
【図９】従来のリモコン送信機の蓋体を閉めた状態での上面図
【発明を実施するための形態】
【００２２】
以下、本発明の実施の形態について、図１〜図６を用いて説明する。
【００２３】
（実施の形態）
図１は本発明の一実施の形態によるリモコン送信機の断面図、図２は同分解斜視図であり、同図において、１１は上面開口で略箱型の下側ケースで、ポリスチレン（以下、ＰＳと記載する）やアクリロニトリルブタジエンスチレン（以下、ＡＢＳと記載する）等の絶縁樹脂で形成されており、下側ケース１１の左側面には、コの字状に凹ませて二つの受部１１Ａが形成されると共に、下面には断面が円弧状の電池収納部１１Ｂが設けられている。
【００２４】
また、１２は略円柱形状の電池で、二つの電池１２が電池収納部１１Ｂに収納され、その下方を、板状でＰＳやＡＢＳなどの絶縁樹脂製の電池カバー１３で覆われている。
【００２５】
また、１４は略方形で板状の基板で、基板１４上面に発光ダイオード等のリモコン信号を送信する送信手段１５や、所定の形状で形成された固定接点（図示せず）が、また基板１４下面にはマイコンなどの制御手段１６が配置されると共に、送信手段１５や固定接点が制御手段１６に配線パターンにより接続されている。
【００２６】
さらに、１７は、ゴムやエラストマー等の弾性材料で形成された略方形の押圧体で、略板状のベース部に略ドーム状の薄肉部によって、各々連結形成された複数の角柱状の押圧部１７Ａと、押圧部１７Ａより低い複数の角柱状の押圧部１７Ｂと、また、前後左右の四箇所に、押圧手段として上半分が円柱状で下半分が楕円柱状の押圧部１７Ｃ〜１７Ｆが、左後方には押圧部１７Ｃ〜１７Ｆと同様の形状をした押圧部１７Ｇが設けられ、これらの押圧部１７Ａ、１７Ｂ、１７Ｃ〜１７Ｇ下面にはカーボン等の可動接点（図示せず）が形成されている。
【００２７】
また、１８はＰＳやＡＢＳなどの絶縁樹脂製の上側ケースで、右側の上段部１８Ａ、略中央の下段部１８Ｂおよび、左側の中段部１８Ｃから構成されると共に、上段部１８Ａの上面には複数の角孔１８Ｄ、下段部１８Ｂの上面には、複数の角孔１８Ｅが、中段部１８Ｃの前後左右および左後の位置の五箇所に円孔１８Ｆが形成されている。
【００２８】
そして、下側ケース１１と上側ケース１８の間に、基板１４の上方に押圧体１７が重ねられた状態で収納されると共に、押圧部１７Ａが角孔１８Ｄから、押圧部１７Ｂが角孔１８Ｅから、押圧手段としての押圧部１７Ｃ〜１７Ｆが複数の角孔１８Ｆから、押圧部１７Ｇも同様に別の角孔１８Ｆから、それぞれ、上側ケース１８の上面に露出している。
【００２９】
また、２１はＰＳやＡＢＳなどの絶縁樹脂を材料とする略方形板状の隔離板で、右半面に六つの円孔２１Ａが、左半面に四つの円孔２１Ｂが隔離板２１の上面の突起２１Ｃを挟んで前後左右の各方向に設けられている。また、隔離板２１の上面には突起２１Ｃを囲んで四個の上面リム部２１Ｄが、下面には図３の下面からの要部分解斜視図で示すように、円孔２１Ｂの近傍に下面リム部２１Ｅが設けられている。なお、この下面リム部２１Ｅは、上側ケース１８に対して開閉可能な後述する蓋体２５を閉めた状態では、押圧部１７Ｇを押圧する位置に配置されている。
【００３０】
そして、２２はＰＳやＡＢＳなどの絶縁樹脂製で略方形の操作体で、操作体２２の右半面には上下動可能な略方形の複数の押圧操作部２２Ａが、左半面には、Ｓ字状の接続部２２Ｂを介して操作体２２の外縁に接続された、揺動体として略円形の揺動部２２Ｃが設けられている。
【００３１】
さらに、押圧操作部２２Ａの下面には、図３で示すように円筒状に突出したリム部２２Ｄが各々設けられ、揺動部２２Ｃの下面の外縁には、円筒状に突出したリム部２２Ｅが前後左右の四箇所に設けられている。
【００３２】
また、２３は操作手段として設けられたＰＳやＡＢＳなどの絶縁樹脂製で略円形の回転体である。この回転体２３の上面には、例えばＩ字状の突起などで設定表示手段２３Ａが、上面の片側に例えば矢印などのマークなどを付して回転体２３の回転角度を示すよう設けられると共に、回転体２３の下面の外縁付近に一つの突起２３Ｂが、回転体２３の外縁には突部２３Ｃが設けられている。
【００３３】
さらに、２４はＰＳやＡＢＳなどの絶縁樹脂製で下面開放の箱型の上面カバーで、上面カバー２４の右半面に六つの角孔２４Ａが、左半面に角孔２４Ａよりやや大きめの一つの円孔２４Ｂが、その円孔２４Ｂの内周の前後左右の四箇所に凹凸部２４Ｃが、さらに下面端部には突出した二つの板状のアーム部２４Ｄが設けられている。
【００３４】
そして、揺動部２２Ｃ外縁の四方に、隔離板２１の上面リム部２１Ｄが接し、複数の押圧操作部２２Ａの下面のリム部２２Ｄが複数の円孔２１Ａ内に挿入されるよう、隔離板２１の上面に操作体２２を配置する。
【００３５】
また、揺動部２２Ｃ上に回転体２３を、突起２３Ｂで揺動部２２Ｃ上面を押圧するよう載置し、その上方から、上面カバー２４を複数の角孔２４Ａから複数の押圧操作部２２Ａ上面が、円孔２４Ｂから回転体２３の上面がそれぞれ露出するように組みあわせて、上面カバー２４と隔離板２１の間に、回転体２３と操作体２２を挟みこみ、蓋体２５が構成されている。
【００３６】
そして、アーム部２４Ｄを受部１１Ａと組み合わせて、上側ケース１８の上方で蓋体２５を開閉可能にして、リモコン送信機３０が構成されている。
【００３７】
ここで、蓋体２５を上側ケース１８に対して閉じた際には、上側ケース１８の上段部１８Ａの上面と、蓋体２５の上面の高さが揃うようになっている。また、蓋体２５を閉じた状態で、押圧操作部２２Ａ下方に押圧部１７Ｂが位置し、押圧操作部２２Ａを押圧操作した際に押圧部１７Ｂが押圧される構造となっている。
【００３８】
そして、揺動体となる揺動部２２Ｃ下面のリム部２２Ｅ下方に押圧手段となる押圧部１７Ｃ〜１７Ｆが位置しており、操作手段である回転体２３の操作に従って、突起２３Ｂが揺動体となる揺動部２２Ｃ上面を摺動し、揺動部２２Ｃの揺動に従って、四つのリム部２２Ｅの位置が上下し、押圧手段となる押圧部１７Ｃ〜１７Ｆのうち、突起２３Ｂの下方にある一つを押圧する構造となっている。
【００３９】
以上の構成において、図４（ａ）の上面図で示すような蓋体２５を閉じた状態では、蓋体２５下面の下面リム部２１Ｅにより押圧部１７Ｇが押圧され、押圧部１７Ｇ下面の可動接点が基板１４上面の固定接点に接触する。
【００４０】
これにより、蓋体２５が閉じられた状態にあることを制御手段１６が検出し、各押圧部１７Ｃ〜１７Ｆに対して、例えば「冷房」「暖房」「除湿」「自動制御」など、出力するリモコン信号が異なる複数の制御状態が割り当てられている。
【００４１】
ここで、操作者がこのリモコン送信機３０を用いて電子機器の制御状態を「自動制御」に切替えたい場合には、リモコン送信機３０を電子機器に向け回転体２３を回転させる。
【００４２】
このとき、図５の断面図で示す状態に回転体２３を回転すると、回転体２３下面の突起２３Ｂが揺動部２２Ｃ上面を摺動すると共に、揺動部２２Ｃが突起２１Ｃ上端を支点にして揺動する。
【００４３】
そして、突起２３Ｂがリム部２２Ｅ上方に摺動することにより、リム部２２Ｅが押圧部１７Ｆを押圧し、押圧部１７Ｆ下面の可動接点が基板１４上面の固定接点に接触し、制御手段１６は押圧部１７Ｆが押圧されたことを検出し、送信手段１５を介して、「自動制御」に対応したリモコン信号を送信する。
【００４４】
つまり、操作手段となる回転体２３を、操作者が突起２１Ｃを中心に回転操作することで、複数の制御状態のうち一の制御状態に択一的に選択することができ、回転体２３の回転操作に応じて、複数の押圧手段となる押圧部１７Ｃ〜１７Ｆのうち一の押圧部が選択されて押圧されるものとなっている。
【００４５】
なお、このとき、回転体２３は、図５に示した回転角度で留まるので、突起２３Ｂは揺動部２２Ｃを介して押圧部１７Ｆを押圧した状態のままとなり、押圧部１７Ｆは押圧された状態で維持されるが、リモコン信号は押圧部１７Ｆが押圧された状態に切り替わる際に一度あるいは数度、送信されるだけで、押圧部１７Ｆが押圧されている間、ずっと送信されてはいない。
【００４６】
このように、押圧部１７Ｆが押圧された状態に切り替わる際だけ、リモコン信号を送信すればよいので、電力の不要な消費が抑制される。
【００４７】
また、この状態でリモコン送信機３０を操作し、制御機器の電源を一度オフし、再度オンした場合には、制御手段１６が、蓋体２５が閉じてかつ押圧部１７Ｆが押圧されている状態であることを検出し、「自動制御」に対応したリモコン信号を送信する。
【００４８】
これにより、制御機器の電源オフ前の制御状態で、再度制御機器の電源をオンした場合でも引き続き同じ制御状態で制御することができるため、簡便な操作が可能となる。
【００４９】
また、このとき設定表示手段２３Ａは、その上面に設けられたマークが回転体２３の回転角度を示しており、回転体２３の回転角度が「自動制御」などの制御状態に一対一で対応しているため操作者は容易に電子機器の制御状態が、「冷房」「暖房」「除湿」「自動制御」のいずれであるか知ることができる。
【００５０】
また、この回転体２３の突部２３Ｃは、円孔２４Ｂ内で回転体２３を回転操作した際に、前後左右の凹凸部２４Ｃと接触し、操作者はクリック感を感じることができる。なお、このクリック感が発生する回転体２３の回転角度は、「冷房」「暖房」「除湿」「自動制御」の各制御状態に対応した角度となっている。
【００５１】
このように、突部２３Ｃと凹凸部２４Ｃで構成される位置検知手段により、操作者は回転体２３の回転中に前後左右の各方向でクリック感を感じ、回転体２３が各制御状態に対応した位置に回転できたことを知ることができるため、操作者は確実な回転角度に回転体２３を設定することができる。
【００５２】
なお、位置検知手段は、上述のような操作者がクリック感を感じるものは一例にすぎず、回転体２３の外周に細かな凹凸を設けて、円孔２４Ｂ内周の四箇所にも細かな凹凸を設けて、凹凸が摺りあって摩擦が生じるようにしたものなど、操作者が回転体２３を回転中に所定の回転角度が認識できるものであれば良い。
【００５３】
また、設定表示手段２３Ａ上面のマークは明るい場所でも見やすいため操作者が容易に認識できるが、マークを夜光塗料などで塗ることにより暗い場所でも容易に認識することが可能である。
【００５４】
そして、図４（ｂ）の上面図で示すような蓋体２５を開いた状態では、押圧部１７Ｇが押圧されていないため、制御手段１６は蓋体２５が開いていることを検出する。
【００５５】
この状態で、押圧部１７Ｂまたは押圧手段である押圧部１７Ｃ〜１７Ｆを押圧すると、上記の場合と同様に、押圧操作に対応して可動接点と固定接点の電気的接離が行なわれて、送信手段１５から押圧部１７Ｃ〜１７Ｆに対応したリモコン信号が送信され、例えば、エアコンの風量や風向などの使用頻度の少ない機能の設定が行なわれる。
【００５６】
また、図６に示すのは、本発明の他の実施の形態によるリモコン送信機の断面図で、操作手段をスライド操作することにより一の制御状態を選択するものである。同図において、ＰＳやＡＢＳなどの絶縁樹脂製の上面カバー３１上面には、左右方向を長辺とする角孔３１Ａが設けられている。
【００５７】
そして、この角孔３１Ａ下方に、略方形板状の操作手段となるＰＳやＡＢＳなどの絶縁樹脂製のスライド操作体３２が設けられており、このスライド操作体３２の上面には操作部３２Ａが設けられ、角孔３１Ａから上方に突出し、上面カバー３１上面に露出すると共に、スライド操作体３２の略中央には、突起３２Ｂが設けられている。
【００５８】
また、３３はＰＳやＡＢＳなどの絶縁樹脂製の揺動体で、緩いカーブを描いた湾曲板３３Ａの左右下端に突起３３Ｂが設けられ、突起３３ＢはＰＳやＡＢＳなどの絶縁樹脂製の隔離板３４に設けられた孔３４Ａの上方に位置している。
【００５９】
そして、隔離板３４と上面カバー３１の間に、スライド操作体３２と揺動体３３を挟んで、蓋体３５が構成されている。
【００６０】
なお、ここで、蓋体３５を閉じた状態では、突起３３Ｂにより、上側ケース３６から露出した押圧手段となる押圧部３７Ａ、３７Ｂを押圧するものとなっている。
【００６１】
このような構成において、操作手段となるスライド操作体３２を操作すると、揺動体３３の湾曲板３３Ａの上面を突起３２Ｂが摺動する。そして、揺動体３３の下面が隔離板３４の上面で揺動し、突起３２Ｂの下方となる突起３３Ｂが押圧手段となる複数の押圧部３７Ａ、３７Ｂのうち一つを選択的に押圧する。
【００６２】
これによれば、蓋体３５を閉じた状態で、押圧部３７Ａ、３７Ｂに例えば、「冷房」、「暖房」の二つの制御状態を割り振れば、操作手段となるスライド操作体３２のスライド操作でそのうち一の制御状態を択一的に選択することができる。そして、択一的に選択された制御状態に応じたリモコン信号を、制御手段１６が送信手段１５を介して送信するものである。
【００６３】
なお、上述の説明においては、リモコン送信機を用いる電子機器としてエアコンを例にとり説明したが、本発明はこれに限定されるものではなく、テレビやオーディオ装置のような、各種、映像、音響機器に用いるものとしても実施しうる。
【００６４】
ここで、例えば電子機器がテレビ用チューナーとハードディスクを内蔵したＤＶＤ再生装置の場合であれば、ハードディスクに記録された映像を再生する「ハードディスク再生」、ＤＶＤに記録された映像を再生する「ＤＶＤ再生」、テレビ向け放送波を受信し再生する「テレビ受信再生」が制御状態として考えられる。
【００６５】
この場合、操作者は操作手段を操作して、「ハードディスク再生」、「ＤＶＤ再生」、「テレビ受信再生」のうち一の制御状態を選択する。
【００６６】
このように本実施の形態によれば、送信されるリモコン信号が異なる複数の制御状態から一の制御状態を選択することを、操作手段となる回転体２３を回転操作またはスライド操作体３２をスライド操作して行うものであり、択一的に選択される制御状態を回転操作またはスライド操作により選択するため、いずれの制御状態が択一的に選択されているか認識しやすいリモコン送信機を提供することができる。
【００６７】
また、操作手段となる回転体２３の下方に揺動体となる揺動部２２Ｃを、または同じく操作手段となるスライド操作体３２の下方に揺動体３３を備え、操作手段の操作に応じて揺動体が揺動し、揺動体が押圧手段を押圧するものであり、揺動体を用いることにより簡易な構造で操作手段の回転操作またはスライド操作を押圧手段の押圧操作に変換することができる。
【産業上の利用可能性】
【００６８】
本発明によるリモコン送信機は、いずれの制御状態が択一的に選択されているか認識しやすいため、主に映像や音響、空調等の各種電子機器に使用されるリモコン送信機として有用である。
【符号の説明】
【００６９】
１１  下側ケース
１１Ａ  受部
１１Ｂ  電池収納部
１２  電池
１３  電池カバー
１４  基板
１５  送信手段
１６  制御手段
１７  押圧体
１７Ａ〜１７Ｇ  押圧部
１８  上側ケース
１８Ａ  上段部
１８Ｂ  下段部
１８Ｃ  中段部
１８Ｄ、１８Ｅ  角孔
１８Ｆ  円孔
２１  隔離板
２１Ａ、２１Ｂ  円孔
２１Ｃ  突起
２１Ｄ  上面リム部
２１Ｅ  下面リム部
２２  操作体
２２Ａ  押圧操作部
２２Ｂ  接続部
２２Ｃ  揺動部
２２Ｄ、２２Ｅ  リム部
２３  回転体
２３Ａ  設定表示手段
２３Ｂ  突起
２３Ｃ  突部
２４  上面カバー
２４Ａ  角孔
２４Ｂ  円孔
２４Ｃ  凹凸部
２４Ｄ  アーム部
２５  蓋体
３０  リモコン送信機
３１  上面カバー
３１Ａ  角孔
３２  スライド操作体
３２Ａ  操作部
３２Ｂ  突起
３３  揺動体
３３Ａ  湾曲板
３３Ｂ  突起
３４  隔離板
３４Ａ  孔
３５  蓋体
３６  上側ケース
３７Ａ、３７Ｂ  押圧部
【図１】
2011239114.tif 000003
【図２】
2011239114.tif 000004
【図３】
2011239114.tif 000005
【図４】
2011239114.tif 000006
【図５】
2011239114.tif 000007
【図６】
2011239114.tif 000008
【図７】
2011239114.tif 000009
【図８】
2011239114.tif 000010
【図９】
2011239114.tif 000011